(57)【要約】【課題】電子装置の構成を制限せずに、強制空冷部が取り外された状態の冷却性能劣化を抑えることができる電子装置を提供する。【解決手段】強制空冷部（２）が着脱自在に装着される電子装置において、強制空冷部（２）の配置スペース（３ａ）と電子装置内部スペースとを遮断する第１の位置（Ｐ１）、および、この第１の位置（Ｐ１）から強制空冷部（２）側に退避した第２の位置、をとる弁体５，６を備える。【選択図】図７
2010123692.tif 000002
【特許請求の範囲】
【請求項１】
強制空冷部が着脱自在に装着される電子装置において、
前記強制空冷部の配置スペースと前記電子装置の内部スペースとを遮断する第１の位置、および、該第１の位置から前記強制空冷部側に退避した第２の位置、をとる弁体を備える、
ことを特徴とする電子装置。
【請求項２】
前記弁体は、前記強制空冷部の着脱動作に連動して、前記強制空冷部が取り外された状態では前記第１の位置をとり、前記強制空冷部が装着された状態では前記第２の位置をとることを特徴とする請求項１記載の電子装置。
【請求項３】
前記弁体は、折り返し部が形成され、前記第１の位置から前記第２の位置に移動する際には、前記折り返し部を中心として前記強制空冷部側へ山折り状に折り畳まれながら移動することを特徴とする請求項１記載の電子装置。
【請求項４】
前記強制空冷部を着脱自在に収容する筐体を備え、
前記弁体は、前記第１の位置から屈曲して前記筐体の壁面に沿ってスライドすることで前記第２の位置へ移動することを特徴とする請求項１記載の電子装置。
【発明の詳細な説明】
【技術分野】
【０００１】
本発明は、強制空冷部が着脱自在に装着される電子装置に関する。
【背景技術】
【０００２】
近年の電子装置は、多ポート化、高機能化等によって消費電力が増加しており、ＬＳＩ等の発熱部品単体では動作規定温度を超えてしまい、発熱部品を動作規定温度の範囲内で使用することが難しくなってきている。
【０００３】
そのため、電子装置は、ファンユニット等を用いて強制的に電子装置内部を冷却し、冷却設計を実現している。また、複数のファンユニットを配置し、冷却性能を維持している電子装置もある。
【０００４】
通常、ファンユニットの寿命は電子装置の寿命と比較して短いため、ファンユニットには、電子装置と分離して交換できるプラグイン構造がとられている。また、複数のファンを有するファンユニットでは、各ファンを分離して交換できるような構造としている。
【０００５】
しかしながら、ファンユニット（またはファン単体）を電子装置から取り外した場合、その着脱用の開口部から空気が流入・流出することで、逆流や乱流が生じ、ひいては冷却性能が劣化する。
【０００６】
そこで、ファンユニットが取り外された状態におけるファン着脱用開口部からの気流の漏洩を防止すべく、ファン着脱用開口部を塞ぐ弁体を備える装置が提案されている（例えば、特許文献１参照）。
【０００７】
図１５は、ファン着脱用開口部３２ａを塞ぐ弁体３３，３４（参考技術１）を説明するための概略斜視図である。
ファンユニット３１は、直列に配置された２つのファン３１ａ，３１ｂと把持部３１ｃとを有し、図示しない電子装置の筐体３２に着脱自在に収容されている。この筐体３２には、外部に開口するファン着脱用開口部３２ａと、電子装置内部スペースに開口する装置側開口部３２ｂとが形成されている。
【０００８】
ファンユニット３１は、ファン３１ａ，３１ｂの回転によって、電子装置内部スペースから装置側開口部３２ｂを通って流入する空気を、ファン着脱用開口部３２ａから外部に排出する。
【０００９】
弁体３３，３４は、図１６に示すように、遮蔽板３３ａ，３４ａと、バネ３３ｂ，３４ｂとを有する。バネ３３ｂ，３４ｂは、遮蔽板３３ａ，３４ａを、ファン着脱用開口部３２ａを覆うように付勢する。
【００１０】
そのため、ファンユニット３１が筐体３２から取り外された状態では、遮蔽板３３ａ，３４ａによって、外部（図１６における左側）と、ファンユニット３１の配置スペース（領域Ａ）とが遮断される。これにより、ファン着脱用開口部３２ａからの空気の流入・流出が防がれる。
【００１１】
一方、ファンユニット３１を筐体３２に装着する際には、遮蔽板３３ａ，３４ａは、バネ３３ｂ，３４ｂの付勢力を上回る力でファンユニット３１により押されることで、ファンユニット３１の配置スペース（領域Ａ）の上面・底面に退避する。
【００１２】
しかしながら、図１７に示すように、ファンユニット３１が取り外された状態において外部とファンユニット３１の配置スペース（領域Ａ）とを遮断しても、ファンユニット３１の配置スペース（領域Ａ）に装置内部スペースの空気が流入することで、装置内部スペースに逆流や乱流が生じ、ひいては冷却性能が劣化する。
【００１３】
このような冷却性能の劣化は、ファンユニットの配置スペースと電子装置内部スペースとを遮断することで回避することができる（例えば、特許文献２および３参照）。
特許文献２記載の冷却構造は、送風機の冷却風吐出し口に、送風機を取付けると装置内部スペース側に開き、送風機を取り出せば閉じる扉を設けることで、ファンユニットの配置スペースと電子装置内部スペースとを遮断している。
【００１４】
また、特許文献３記載の電子機器は、スライド式の制風部材を設けることで、ファンユニットの配置スペースと電子装置内部スペースとを遮断している。
図１８は、装置側開口部４２ｂを塞ぐ弁体４３（参考技術２）を説明するための概略斜視図である。
【００１５】
ファンユニット４１は、直列に配置された２つのファン４１ａ，４１ｂと把持部４１ｃとを有し、図示しない電子装置の筐体４２に着脱自在に収容されている。この筐体４２には、外部に開口するファン着脱用開口部４２ａと、電子装置内部スペースに開口する装置側開口部４２ｂとが形成されている。
【００１６】
ファンユニット４１は、ファン４１ａ，４１ｂの回転によって、電子装置内部スペースから装置側開口部４２ｂを通って流入する空気を、ファン着脱用開口部４２ａから外部に排出する。
【００１７】
弁体４３は、図１９に示すように、遮蔽板４３ａと、バネ４３ｂとを有する。バネ４３ｂは、遮蔽板４３ａを、装置側開口部４２ｂを覆うように付勢する。
そのため、ファンユニット４１が筐体４２から取り外された状態では、遮蔽板４３ａによって、ファンユニット４１の配置スペースと、電子装置内部スペースとが遮断される。これにより、電子装置内部スペースからファンユニット４１の配置スペースへの空気の流出が防がれる。
【００１８】
一方、ファンユニット４１を筐体４２に装着する際には、遮蔽板４３ａは、バネ４３ｂの付勢力を上回る力でファンユニット４１により押されることで、図２０に示すように電子装置内部スペースの領域Ｂに退避する。
【特許文献１】特開２００２−６９９４号公報
【特許文献２】特開平９−２７５２８９号公報
【特許文献３】特開２００１−１８５８８３号公報
【発明の開示】
【発明が解決しようとする課題】
【００１９】
上記特許文献２記載の冷却構造のように、送風機の冷却風吐出し口に、送風機を取付けると装置内部スペース側に開き送風機を取り出せば閉じる扉を設けると、扉（弁体）の退避スペースとして、電子装置内部スペースに余計なスペースを確保した構成をとらなければならない。
【００２０】
また、上記特許文献３記載の電子機器のように、スライド式の制風部材を設けることでファンユニットの配置スペースと電子装置内部スペースとを遮断しても、装置外部に制風部材を退避させる構成をとるか、或いは、装置内部スペースに制風部材を退避させるスペ
ースを確保した構成をとらなければならない。更には、電子装置の内部スペースに、制風部材をガイドする案内レールを配置するスペースを確保した構成をとる必要も生じる。
【００２１】
本発明の課題は、上記従来の実情に鑑み、電子装置の構成を制限せずに、強制空冷部が取り外された状態の冷却性能劣化を抑えることができる電子装置を提供することである。
【課題を解決するための手段】
【００２２】
この電子装置は、強制空冷部が着脱自在に装着される電子装置において、上記強制空冷部の配置スペースと上記電子装置の内部スペースとを遮断する第１の位置、および、この第１の位置から上記強制空冷部側に退避した第２の位置、をとる弁体を備える、ことを要件とする。
【発明の効果】
【００２３】
開示の電子装置では、強制空冷部を取り外した状態では、弁体により、電子装置内部スペースの気流が強制空冷部の配置スペースに流れ込むのを防止することができる。
また、強制空冷部を装着した状態では、弁体を強制空冷部側に退避させることにより、装置内部スペースに弁体を退避させるスペースを確保したり、外部に弁体を退避させる構成をとる必要がない。
【００２４】
よって、開示の電子装置によれば、電子装置の構成を制限せずに、強制空冷部が取り外された状態の冷却性能劣化を抑えることができる。
【発明を実施するための最良の形態】
【００２５】
以下、本発明の実施の形態に係る電子装置について、図面を参照しながら説明する。
＜一実施の形態＞
図１は、本発明の一実施の形態に係る電子装置１を背面側から示す斜視図である。
【００２６】
図２は、ファンユニット２を取り外した状態の電子装置１を背面側から示す斜視図である。
図３は電子装置１の正面図であり、図４は図３のIV−IV断面図である。
【００２７】
電子装置１は、筐体としてのシェルフ３と、このシェルフ３内に高さ方向に８つ着脱可能に積層された図３および図４に示す電子回路パッケージ４と、図１〜図４では図示しない弁体５，６とを備え、強制空冷部としての３つのファンユニット２が背面側から着脱自在にシェルフ３に装着される伝送装置である。
【００２８】
詳しくは後述するが、各ファンユニット２は、直列に配置された２つのファン２ａ，２ｂと、電子装置１の背面側に設けられた把持部２ｃと、を有し、シェルフ３の収容部（強制空冷部の配置スペース）３ａに着脱自在に装着されている。この収容部３ａには、図２および図４に示すように、外部に開口するファン着脱用開口部３ｂと、電子装置１（シェルフ３）の内部スペースに開口する装置側開口部３ｃとが形成されている。
【００２９】
図４に示すように、ファンユニット２は、シェルフ３の正面側に多数の吸引孔を形成してなる吸引口３ｄから導風板３ｅによって電子回路パッケージ４（電子部品は図示せず）上に流入する空気を、電子装置１の外部に排出することで、電子装置１の内部を冷却している。
【００３０】
図５、図６Ａおよび図７は、本発明の一実施の形態に係る弁体５，６およびファンユニット２を透視的に示す斜視図であり、図６Ｂは、本発明の一実施の形態に係る弁体５，６およびファンユニット２を透視的に示す側面図である。
【００３１】
弁体５，６は、それぞれ、遮蔽板５ａ，６ａと、連結部としての連結プレート５ｂ，６ｂとを有し、２つの遮蔽板５ａ，６ａによって、装置側開口部３ｃの半分ずつを覆うことで、収容部３ａと電子装置１の内部スペースとを遮断する。
【００３２】
収容部３ａの電子装置内部スペース側の上面および底面には、退避した遮蔽板５ａ，６ａおよび連結プレート５ｂ，６ｂを収容するための凹部３ｆ，３ｇが形成されている。
遮蔽板５ａ，６ａは、凹部３ｆ，３ｇに固定されたヒンジ部５ｃ，６ｃによって一端が回動自在に支持されている。詳しくは後述するが、連結プレート５ｂ，６ｂが遮蔽板５ａ，６ａの遮蔽時の傾斜した状態（図５参照）から回動して凹部３ｆ，３ｇに水平に収容されるため（図７参照）、ヒンジ部５ｃ，６ｃは、凹部３ｆ，３ｇにおいて、電子装置１の内部スペース側の端部から、連結プレート５ｂ，６ｂの回動による水平方向への移動分の間隙を隔てて配置されている。
【００３３】
遮蔽板５ａ，６ａの他端には、遮蔽時に互いに近接するヒンジ部５ｄ，６ｄが設けられている。このヒンジ部５ｄ，６ｄには連結プレート５ｂ，６ｂが連結され、遮蔽板５ａ，６ａと連結プレート５ｂ，６ｂとはヒンジ部５ｄ，６ｄを中心に互いに角度調整可能となっている。
【００３４】
連結プレート５ｂ，６ｂは、凹部３ｆ，３ｇの外部側の端部に固定されたヒンジ部５ｅ，６ｅに回動自在に支持されている。
遮蔽板５ａ，６ａの高さ方向中央には、折り返し部としての水平方向に延びるヒンジ部５ｆ，６ｆが設けられ、図６Ｂに示すように、このヒンジ部５ｆ，６ｆの電子装置内部スペース側には、バネ５ｇ，６ｇ（付勢部材）が配置されている。
【００３５】
バネ５ｄ，６ｄは、遮蔽板５ａ，６ａを、ヒンジ部５ｆ，６ｆを挟んだ両側が図５に示すように鉛直方向に延びるように、即ち、収容部３ａと電子装置内部スペースとを遮断する位置に、付勢する。
【００３６】
そのため、図５に示すようにファンユニット２が収容部３ａから取り外された状態では、遮蔽板５ａ，６ａは、電子装置内部スペースと収容部３ａとを遮断する位置（第１の位置）に移動する。これにより、電子装置内部スペースから収容部３ａへの空気の流入が防がれる。
【００３７】
一方、ファンユニット２を収容部３ａに装着する際には、連結プレート５ｂ，６ｂがファンユニット２により押圧されることでヒンジ部５ｅ，６ｅを中心に凹部３ｆ，３ｇ側に回動する。これにより、遮蔽板５ａ，６ａは、図６Ａおよび図６Ｂに示すように、バネ５ｇ，６ｇが設けられたヒンジ部５ｆ，６ｆを中心としてファンユニット２側へ山折り状に折り畳まれながら、図７に示すように、連結プレート５ｂ，６ｂと共に収容部３ａの凹部３ｆ，３ｇに収容される位置（ファンユニット２側に退避した第２の位置Ｐ２）に移動する。
【００３８】
ここで、ファンユニット２の取り外し（抜去）後１０分経過時の環境温度４０〔℃〕における電子回路パッケージ４上の任意の部品１〜３の温度を測定した結果、部品１については、弁体５，６が退避位置（第２の位置Ｐ２）の場合に５８．４〔℃〕であったのに対し、遮断位置（第１の位置Ｐ１）にあるときには４９．８〔℃〕であり、８．６〔℃〕の冷却効果を得ることができた。
【００３９】
また、部品２，３については、弁体５，６が退避位置（第２の位置Ｐ２）の場合に８９．６〔℃〕，９０．６〔℃〕であったのに対し、遮断位置（第１の位置Ｐ１）にあるときには８４．９〔℃〕，８７．２〔℃〕であり、それぞれ４．７〔℃〕，３．４〔℃〕の冷却効果を得ることができた。
【００４０】
以上説明した本実施の形態の電子装置１では、ファンユニット２を取り外した状態では、弁体５，６の遮蔽板５ａ，５ｂを，収容部３ａと電子装置内部スペースとを遮断する第１の位置（Ｐ１）に移動させることで、電子装置内部スペースの気流が収容部３ａに流れ込むのを防止することができる。
【００４１】
また、ファンユニット２を装着した状態では、弁体５，６の遮蔽板５ａ，６ａをファンユニット２側に退避した第２の位置（Ｐ２）に移動させることにより、装置内部スペースに弁体５，６を退避させるスペースを確保したり、外部に弁体５，６を退避させる構成をとる必要がない。
【００４２】
よって、本実施の形態の電子装置１によれば、電子装置１の構成を制限せずに、ファンユニット２が取り外された状態の冷却性能劣化を抑えることができる。
また、本実施の形態では、弁体５，６の遮蔽板５ａ，６ａは、ファンユニット２の着脱動作に連動して、ファンユニット２が取り外された状態では図５に示す第１の位置（Ｐ１）をとり、ファンユニット２が装着された状態では図７に示す第２の位置（Ｐ２）に移動する。そのため、簡単かつ確実に収容部３ａと電子装置内部スペースとを遮断することができ、したがって、有効に冷却性能劣化を抑えることができる。
【００４３】
また、本実施の形態では、弁体５，６の遮蔽板５ａ，６ａは、第１の位置Ｐ１から第２の位置（Ｐ２）に移動する際に、折り返し部としてのヒンジ部５ｆ，６ｆを中心としてファンユニット２側へ山折り状に折り畳まれながら移動する。更には、シェルフ３には、収容部３ａに開口する凹部３ｆ，３ｇが形成され、弁体５，６（遮蔽板５ａ，６ａおよび連結プレート５ｂ，６ｂ）は、第２の位置Ｐ２では凹部３ｆ，３ｇに収容される。更にまた、複数の弁体５，６は、第１の位置（Ｐ１）では、互いに同一の収納部３ａと電子装置内部スペースとを遮断する。
【００４４】
これらにより、弁体５，６の退避スペースを抑えることができ、したがって、電子装置１の高密度実装が可能になるなど、電子装置１の設計の自由度を高めることができる。
また、本実施の形態では、弁体５，６は、折り返し部としてのヒンジ部５ｆ，６ｆに設けられ遮蔽板５ａ，６ａを収容部３ａと電子装置内部スペースとを遮断する位置に付勢するバネ５ｇ，６ｇを有する。更には、弁体５，６は、遮蔽板５ａ，６ａとの角度を調整可能に遮蔽板５ａ，６ａに連結された連結プレート５ｂ，６ｂを有する。更にまた、遮蔽板５ａ，６ａは、連結プレート５ｂ，６ｂがファンユニット２の装着時にファンユニット２に押圧されることで、第１の位置（Ｐ１）から前記第２の位置（Ｐ２）に移動する際に、ヒンジ部５ｆ，６ｆを中心として折り畳まれながら移動する。
【００４５】
これらにより、簡単かつ確実に収容部３ａと電子装置内部スペースとを遮断することができ、したがって、有効に冷却性能劣化を抑えることができる。
なお、本実施の形態では、２つの弁体５，６を用いた電子装置１について説明したが、１つの弁体を、電子装置内部スペースと収容部３ａとを遮断する位置（第１の位置Ｐ１）およびそこから退避した位置（第２の位置Ｐ２）に移動させるようにしてもよい。
【００４６】
また、本実施の形態では、弁体５，６がファンユニット（強制空冷部）２側に退避した第２の位置（Ｐ２）として、収容部３ａの上面・底面に形成された凹部３ｆ，３ｇに退避する例について説明したが、第２の位置としては、第１の位置（Ｐ１）よりも外部側（図5、図6Ａ、図6Ｂおよび図７における左側）に退避した位置であればよい。また、収容部３ａの凹部３ｆ，３ｇは、収容部３ａの上面・底面ではなく、両側面に形成してもよい。
【００４７】
また、本実施の形態では、ファン２ａ，２ｂの１つが故障等した場合にもファンユニット２を稼働させるためにファンユニット２が２つのファン２ａ，２ｂを有する例について説明したが、ファンは必ずしも複数ある必要はない。
【００４８】
また、本実施の形態では、ファンユニット２の着脱動作に連動して弁体５，６が移動する例について説明したが、着脱動作とは別個に手動または自動で弁体５，６が移動する構成としてもよい。
【００４９】
また、本実施の形態では、弁体５，６が連結プレート５ｂ，６ｂを有する例について説明したが、弁体は、収容部３ａと電子装置内部スペースとを遮断する部材（遮蔽板５ａ，６ａ）のみから構成してもよい。
【００５０】
また、本実施の形態では、強制空冷部として、排気側に設けられたファンユニット２を例に説明したが、吸気側に設けられる強制空冷部を用いると共に、その配置スペースと電子装置の内部スペースとを遮断する弁体を設けるようにしてもよい。
また、本実施の形態では、電子装置１として伝送装置を例に説明したが、電子装置としては、強制空冷部（ファンユニット２）を有する装置であればよい。
【００５１】
＜他の実施の形態＞
図９〜図１１は、本発明の他の実施の形態に係る弁体１５およびファンユニット２を透視的に示す斜視図である。
本実施の形態では、弁体１５がスライドする構成およびそれに付随する構成を除いては上記一実施の形態と同様であるため、同様の部材・部分については図面に同一の符号を付して説明を省略する。
【００５２】
弁体１５は、スライドするシャッターであり、図９に示すようにシェルフ１３の収容部１３ａ（ファンユニット１２の配置スペース）と、装置内部スペースとを遮断する第１の位置（Ｐ１）をとる。なお、本実施の形態のファンユニット１２も、上記一実施の形態のファンユニット２と同様にファン１２ａ，１２ｂおよび把持部１２ｃを有する。
【００５３】
この第１の位置（Ｐ１）における弁体１５は、シェルフ１３の装置側開口部１３ｃから上方に延び、水平方向に屈曲しシェルフ１３の外壁面に沿って第１の軸１６および第２の軸１７の上部に延び、反対側に折り返され第２の軸１７の下部に延びる。
【００５４】
詳しくは後述するが、ファンユニット１２をファン着脱用開口部１３ｂから収容部１３ａに装着する際には、弁体１５は、装着動作に連動して、図１０に示すように、装置側開口部１３ｃ側の一端においては上昇し、他端側はファンユニット１２の挿入方向に移動する。
【００５５】
そして、図１１に示すようにファンユニット１２が収容部１３ａ内に装着されると、弁体１５は、装置側開口部１３ｃを遮蔽する位置から完全に退避した第２の位置（Ｐ２）に移動する。
【００５６】
ここで、以上のようにファンユニット１２の着脱動作に連動して弁体１５を移動させる構成の例について説明する。
図１２に示すように、第１の軸１６および第２の軸１７は、シャフト１６ａ，１７ａと、このシャフト１６ａ，１７ａの両端に設けられる２つの歯車（噛合部）１６ｂ，１６ｃ，１７ｂ，１７ｃと、を有する。
【００５７】
そして、弁体１５の一辺側には、第１の軸１６の一方の歯車１６ｂおよび第２の軸１７の一方の歯車１７ｂに噛合する複数の孔１５ａを一直線状に設ける。また、弁体１５の上記一辺と対向する一辺側には、第１の軸１６の他方の歯車１６ｃおよび第２の軸１７の他方の歯車１７ｃに噛合する複数の孔１５ｂを一直線状に設ける。
【００５８】
また、図９のＡ方向矢視図である図１３に示すようにファンユニット１２が装着される収容部１３ａ（図１３においてはファンユニット１２と同一領域のため図示せず）の上壁に、歯車１６ｂ，１７ｂに噛合する孔１３ｈおよび歯車１６ｃ，１７ｃに噛合する孔１３ｉを設ける。更には、ファンユニット１２の上面に、歯車１６ｂ，１７ｂに噛合する凹部１２ｄおよび歯車１６ｃ，１７ｃに噛合する凹部１２ｅを設ける。
【００５９】
また、シェルフ１３の側壁に、歯車１６ｂ，１７ｂの上部において弁体１５をガイドするガイド部１３ｄと、歯車１６ｂ，１７ｂの下部において弁体１５をガイドするガイド部１３ｅと、歯車１６ｃ，１７ｃの上部において弁体１５をガイドするガイド部１３ｆと、歯車１６ｃ，１７ｃの下部において弁体１５をガイドするガイド部１３ｇとを設ける。
【００６０】
各ガイド部１３ｄ〜１３ｇは、水平方向に延びる２枚の薄板からなり、これら２枚の薄板の間で弁体１５をガイドする。
また、シェルフ１３には、図１４に示すように、装置側開口部１３ｄにおいて弁体１５をガイドするガイド部１３ｊ，１３も設ける。
以上のような構成により、弁体１５を第１の位置（Ｐ１）と第２の位置（Ｐ２）との間でスライドさせることが可能となる。
【００６１】
以上説明した本実施の形態の電子装置では、上記一実施の形態の電子装置１と同様に、ファンユニット１２を取り外した状態では、弁体１５が収容部１３ａと電子装置内部スペースとを遮断する第１の位置（Ｐ１）に移動するため、電子装置内部スペースの気流が収容部３ａに流れ込むのを防止することができる。
【００６２】
また、ファンユニット１２を装着した状態では、弁体１５がファンユニット１２側に退避した第２の位置（Ｐ２）に移動するため、装置内部スペースに弁体１５を退避させるスペースを確保したり、外部に弁体１５を退避させたりする必要がない。
【００６３】
よって、本実施の形態の電子装置によっても、上記一実施の形態と同様に、電子装置の構成を制限せずに、ファンユニット１２が取り外された状態の冷却性能劣化を抑えることができる。
【００６４】
また、本実施の形態では、弁体１５は、第１の位置（Ｐ１）から屈曲してシェルフ１３の壁面に沿ってスライドすることで第２の位置（Ｐ２）へ移動する。これにより、弁体１５の退避スペースを抑えることができ、したがって、電子装置の高密度実装が可能になるなど、電子装置の設計の自由度を高めることができる。
【００６５】
また、本実施の形態では、歯車１６ｂ，１６ｃ，１７ｃ，１７ｄは、弁体１５およびシェルフ１３を貫通してファンユニット１２の凹部１２ｄ，１２ｅと噛合することで回動し、弁体１５は、歯車１６ｂ，１６ｃ，１７ｃ，１７ｄの回動によりスライドする。これにより、簡単かつ確実に収容部１３ａと電子装置内部スペースとを遮断することができ、したがって、有効に冷却性能劣化を抑えることができる。
【００６６】
なお、本実施の形態では、弁体１５は、収容部１３ａ上方のシェルフ１３の外壁面に沿ってスライドするが、収容部１３ａの内部に沿ってスライドするようにしてもよい。
また、本実施の形態では、ファンユニット１２の上面に、歯車１６ｂ，１７ｂに噛合する凹部１２ｄおよび歯車１６ｃ，１７ｃに噛合する凹部１２ｅを設ける例について説明したが、凹部に代えて孔を設けてもよい。
【００６７】
以上説明した一実施の形態および他の実施の形態に関し、更に以下の付記を開示する。（付記１）
強制空冷部が着脱自在に装着される電子装置において、
前記強制空冷部の配置スペースと前記電子装置の内部スペースとを遮断する第１の位置、および、該第１の位置から前記強制空冷部側に退避した第２の位置、をとる弁体を備える、
ことを特徴とする電子装置。
（付記２）
前記弁体は、前記強制空冷部の着脱動作に連動して、前記強制空冷部が取り外された状態では前記第１の位置をとり、前記強制空冷部が装着された状態では前記第２の位置をとることを特徴とする付記１記載の電子装置。
（付記３）
前記弁体は、折り返し部が形成され、前記第１の位置から前記第２の位置に移動する際には、前記折り返し部を中心として前記強制空冷部側へ山折り状に折り畳まれながら移動することを特徴とする付記１記載の電子装置。
（付記４）
前記弁体は、前記折り返し部が形成され前記強制空冷部の配置スペースと前記電子装置の内部スペースとを遮断する遮蔽板と、前記折り返し部に設けられ前記遮蔽板を前記強制空冷部の配置スペースと前記電子装置の内部スペースとを遮断する位置に付勢する付勢部材と、を有することを特徴とする付記３記載の電子装置。
（付記５）
前記弁体は、前記遮蔽板との角度を調整可能に該遮蔽板に連結された連結部を更に有し、
前記遮蔽板は、前記連結部が前記強制空冷部の装着時に該強制空冷部に押圧されることで、前記第１の位置から前記第２の位置にかけて、前記折り返し部を中心として折り畳まれながら移動する、
ことを特徴とする付記４記載の電子装置。
（付記６）
前記強制空冷部を着脱自在に収容する筐体を備え、
該筐体には、前記強制空冷部の配置スペースに開口する凹部が形成され、
前記弁体は、前記第２の位置では前記凹部に収容される、
ことを特徴とする付記１記載の電子装置。
（付記７）
複数の前記弁体を備え、
該複数の弁体は、前記第１の位置では、互いに同一の前記強制空冷部の配置スペースと、前記電子装置の内部スペースとを遮断する、
ことを特徴とする付記１記載の電子装置。
（付記８）
前記強制空冷部を着脱自在に収容する筐体を備え、
前記弁体は、前記第１の位置から屈曲して前記筐体の壁面に沿ってスライドすることで前記第２の位置へ移動する、
ことを特徴とする付記１記載の電子装置。
（付記９）
噛合部を更に備え、
前記弁体および前記筐体には、前記噛合部と噛合する孔が形成され、
前記強制空冷部には、前記噛合部と噛合する凹部または孔が形成され、
前記噛合部は、前記弁体および前記筐体を貫通して前記強制空冷部の凹部または孔と噛合することで回動し、
前記弁体は、前記噛合部の回動によりスライドする、
ことを特徴とする付記８記載の電子装置。
【図面の簡単な説明】
【００６８】
【図１】本発明の一実施の形態に係る電子装置を背面側から示す斜視図である。
【図２】本発明の一実施の形態に係る、ファンユニットを取り外した状態の電子装置を背面側から示す斜視図である。
【図３】本発明の一実施の形態に係る電子装置を示す正面図である。
【図４】図３のIV−IV断面図である。
【図５】本発明の一実施の形態に係る弁体およびファンユニットを透視的に示す斜視図（その１）である。
【図６Ａ】本発明の一実施の形態に係る弁体およびファンユニットを透視的に示す斜視図（その２）である。
【図６Ｂ】本発明の一実施の形態に係る弁体およびファンユニットを透視的に示す側面図である。
【図７】本発明の一実施の形態に係る弁体およびファンユニットを透視的に示す斜視図（その３）である。
【図８】本発明の一実施の形態に係る電子装置の温度変化を示す図表である。
【図９】本発明の他の実施の形態に係る弁体およびファンユニットを透視的に示す斜視図（その１）である。
【図１０】本発明の他の実施の形態に係る弁体およびファンユニットを透視的に示す斜視図（その２）である。
【図１１】本発明の他の実施の形態に係る弁体およびファンユニットを透視的に示す斜視図（その３）である。
【図１２】本発明の他の実施の形態に係る弁体のスライドを説明するための説明図（その１）である。
【図１３】図９のＡ方向矢視図である。
【図１４】本発明の他の実施の形態に係る弁体のスライドを説明するための説明図（その２）である。
【図１５】ファン着脱用開口部を塞ぐ弁体（参考技術１）を説明するための概略斜視図（その１）である。
【図１６】ファン着脱用開口部を塞ぐ弁体（参考技術１）を説明するための概略側面図である。
【図１７】ファン着脱用開口部を塞ぐ弁体（参考技術１）を説明するための概略斜視図（その２）である。
【図１８】装置側開口部を塞ぐ弁体（参考技術２）を説明するための概略斜視図（その１）である。
【図１９】装置側開口部を塞ぐ弁体（参考技術２）を説明するための概略側面図である。
【図２０】装置側開口部を塞ぐ弁体（参考技術２）を説明するための概略斜視図（その２）である。
【符号の説明】
【００６９】
１      電子装置
２      ファンユニット
２ａ，２ｂ      ファン
２ｃ      把持部
３      シェルフ
３ａ      収容部
３ｂ      ファン着脱用開口部
３ｃ      装置側開口部
３ｄ      吸引口
３ｅ      導風板
３ｆ，３ｇ      凹部
４      電子回路パッケージ
５，６      弁体
５ａ，６ａ      遮蔽板
５ｂ，６ｂ      連結プレート
５ｃ，６ｃ      ヒンジ部
５ｄ，６ｄ      ヒンジ部
５ｅ，６ｅ      ヒンジ部
５ｆ，６ｆ      ヒンジ部
５ｇ，６ｇ      バネ
１２      ファンユニット
１２ａ，２ｂ      ファン
１２ｃ      把持部
１２ｄ，１２ｅ      凹部
１３      シェルフ
１３ａ      収容部
１３ｂ      ファン着脱用開口部
１３ｃ      装置側開口部
１３ｄ，１３ｅ，１３ｆ，１３ｇ      ガイド部
１３ｈ，１３ｉ      孔
１３ｊ，１３ｋ      ガイド部
１５      弁体
１５ａ，１５ｂ      孔
１６      第１の軸
１７      第２の軸
１６ａ，１７ａ      シャフト
１６ｂ，１６ｃ，１７ｂ，１７ｃ      歯車
【図１】
2010123692.tif 000003
【図２】
2010123692.tif 000004
【図３】
2010123692.tif 000005
【図８】
2010123692.tif 000006
【図４】
2010123692.tif 000007
【図５】
2010123692.tif 000008
【図６Ａ】
2010123692.tif 000009
【図６Ｂ】
2010123692.tif 000010
【図７】
2010123692.tif 000011
【図９】
2010123692.tif 000012
【図１０】
2010123692.tif 000013
【図１１】
2010123692.tif 000014
【図１２】
2010123692.tif 000015
【図１３】
2010123692.tif 000016
【図１４】
2010123692.tif 000017
【図１５】
2010123692.tif 000018
【図１６】
2010123692.tif 000019
【図１７】
2010123692.tif 000020
【図１８】
2010123692.tif 000021
【図１９】
2010123692.tif 000022
【図２０】
2010123692.tif 000023